(57)【要約】【課題】外部からの衝撃に対して筐体内に収容した機器の破損を防止し得る携帯端末を提供することにある。【解決手段】互いに対向する一対のリブ２０を外装ケース１１内部に有しており、光学モジュール３０がこの両リブ２０間に近接して外装ケース１１内に収容されている。そして、リブ２０は、外装ケース１１の内壁１１ａから突出する複数の突出壁部２０ａと、この各突出壁部２０ａの突出端２０ｂを連結する連結壁部２０ｃとを備えており、各突出壁部２０ａおよび連結壁部２０ｃは、弾性変形可能に形成されている。【選択図】図２
2010238224.tif 000002
【特許請求の範囲】
【請求項１】
互いに対向する一対のリブを内部に有する筐体と、前記筐体内にて前記両リブ間に近接して収容される機器とを備える携帯端末であって、
前記リブは、前記筐体の内壁から突出する複数の突出壁部と、これら各突出壁部の突出端をそれぞれ連結する連結壁部とを備え、
前記各突出壁部および前記連結壁部は、弾性変形可能に形成されることを特徴とする携帯端末。
【請求項２】
前記リブは、
前記筐体の内壁から突出する複数の突出壁部とこれら各突出壁部の突出端をそれぞれ連結する連結壁部とから構成される外側リブと、
この外側リブの連結壁部から前記機器に近接するように突出する複数の突出壁部とこれら各突出壁部の突出端を連結する連結壁部とから構成される内側リブと、を備えることを特徴とする請求項１に記載の携帯端末。
【請求項３】
前記リブは、前記筐体に一体的に設けられることを特徴とする請求項１または２に記載の携帯端末。
【請求項４】
前記各突出壁部と前記連結壁部とによって区画される複数の空間の少なくともいずれかには、その弾性変形に応じて衝撃を吸収可能な衝撃吸収体が収容されることを特徴とする請求項１から３のいずれか一項に記載の携帯端末。
【請求項５】
一方のリブの前記連結壁部と他方のリブの前記連結壁部とは、弾性変形に応じて衝撃を吸収可能な連結部材で連結されていることを特徴とする請求項１〜４のいずれか一項に記載の携帯端末。
【請求項６】
前記複数の突出壁部および前記連結壁部の少なくともいずれか１箇所には、切欠きが設けられていることを特徴とする請求項１〜５のいずれか一項に記載の携帯端末。
【請求項７】
前記切欠きには、衝撃吸収体が収容されていることを特徴とする請求項６に記載の携帯端末。
【請求項８】
前記各突出壁部と前記連結壁部とによって区画される複数の空間に収容される衝撃吸収体は、前記切欠きに設けられる前記衝撃吸収体と一体的に構成されることを特徴とする請求項７に記載の携帯端末。
【請求項９】
前記機器と対面する前記連結壁部には前記切欠きが設けられており、この切欠きから衝撃吸収体が前記機器側に膨出していることを特徴とする請求項７または８に記載の携帯端末。
【発明の詳細な説明】
【技術分野】
【０００１】
本発明は、携帯端末に関するものである。
【背景技術】
【０００２】
筐体内に機器を収容する携帯端末では、落下等によって筐体に衝撃が加わると、筐体の変形や筐体の内壁と機器との衝突等によって、機器が破損する虞がある。そこで、従来より、携帯端末の筐体内に収容される機器等に対して落下の衝撃等から保護する技術として、例えば、下記特許文献１に開示される携帯電話機のプリント基板の実装構造がある。この携帯電話機は、ケースと、このケースの内部に装着されたプリント基板とを有している。さらに、ケースの内壁とプリント基板との間には、ウレタン樹脂や発泡スチロール等の樹脂やゴム等からなる緩衝部材を介在させている。そして、この携帯電話機に落下等によって外部から衝撃が加えられると、その衝撃が緩衝部材で吸収される。そのため、プリント基板へ外部からの衝撃が伝搬されにくくなり、プリント基板に実装された部品が破損するのを防ぐことができる。
【先行技術文献】
【特許文献】
【０００３】
【特許文献１】特開平１１−３３１３３３号公報
【発明の概要】
【発明が解決しようとする課題】
【０００４】
しかしながら、上記特許文献１では、緩衝部材の厚みが大きく、筐体内に余分にスペースを取る必要があるため、筐体が大きくなり、携帯端末の小型化や軽量化の妨げとなってしまうという問題がある。
【０００５】
また、筐体内の機器を保護するためのリブを当該筐体内に設けることも考えられるが、単にリブを設けただけでは、外部から強い衝撃が加わった場合に、機器がリブの先端部分と衝突し、機器が破損したり、リブがその衝撃を吸収しきれずに破損したりする虞がある。とくに、機器が大型で重量が大きくなると、この問題は顕著であった。
【０００６】
本発明は、上述した課題を解決するためになされたものであり、その目的とするところは、外部からの衝撃に対して筐体内に収容した機器の破損を防止し得る携帯端末を提供することにある。
【課題を解決するための手段】
【０００７】
上記目的を達成するため、特許請求の範囲に記載の請求項１の携帯端末では、互いに対向する一対のリブを内部に有する筐体と、前記筐体内にて前記両リブ間に近接して収容される機器とを備える携帯端末であって、前記リブは、前記筐体の内壁から突出する複数の突出壁部と、これら各突出壁部の突出端をそれぞれ連結する連結壁部とを備え、前記各突出壁部および前記連結壁部は、弾性変形可能に形成されることを特徴とする。
【０００８】
請求項２の発明は、請求項１に記載の携帯端末において、前記リブは、前記筐体の内壁から突出する複数の突出壁部とこれら各突出壁部の突出端をそれぞれ連結する連結壁部とから構成される外側リブと、この外側リブの連結壁部から前記機器に近接するように突出する複数の突出壁部とこれら各突出壁部の突出端を連結する連結壁部とから構成される内側リブと、を備えることを特徴とする。
【０００９】
請求項３の発明は、請求項１または２に記載の携帯端末において、前記リブは、前記筐体に一体的に設けられることを特徴とする。
【００１０】
請求項４の発明は、請求項１から請求項３のいずれか一項に記載の携帯端末において、前記各突出壁部と前記連結壁部とによって区画される複数の空間の少なくともいずれかには、その弾性変形に応じて衝撃を吸収可能な衝撃吸収体が収容されることを特徴とする。
【００１１】
請求項５の発明は、請求項１から請求項４のいずれか一項に記載の携帯端末において、一方のリブの前記連結壁部と他方のリブの前記連結壁部とは、弾性変形に応じて衝撃を吸収可能な連結部材で連結されていることを特徴とする。
【００１２】
請求項６の発明は、請求項１から請求項５のいずれか一項に記載の携帯端末において、前記複数の突出壁部および前記連結壁部の少なくともいずれか１箇所には、切欠きが設けられていることを特徴とする。
【００１３】
請求項７の発明は、請求項６に記載の携帯端末において、前記切欠きには、衝撃吸収体が収容されていることを特徴とする。
【００１４】
請求項８の発明は、請求項７に記載の携帯端末において、前記各突出壁部と前記連結壁部とによって区画される複数の空間に収容される衝撃吸収体は、前記切欠きに設けられる前記衝撃吸収体と一体的に構成されることを特徴とする。
【００１５】
請求項９の発明は、請求項７または８に記載の携帯端末において、前記機器と対面する前記連結壁部には前記切欠きが設けられており、この切欠きから衝撃吸収体が前記機器側に膨出していることを特徴とする。
【発明の効果】
【００１６】
請求項１の発明では、互いに対向する一対のリブを筐体内部に有しており、機器がこの両リブ間に近接して筐体内に収容されている。そして、リブは、筐体の内壁から突出する複数の突出壁部と、これら各突出壁部の突出端を連結する連結壁部とを備えており、各突出壁部および連結壁部は、弾性変形可能に形成されている。
【００１７】
これにより、落下等によって筐体に外部から衝撃が加えられると、その衝撃により筐体が撓み、この筐体の撓みに応じてリブの突出壁部も弾性変形する。そして、外部からの衝撃は、突出壁部が弾性変形することによって吸収されるとともに連結壁部で分散されて緩衝される。そのため、リブを介する機器への衝撃の伝搬が抑制される。また、筐体が外部から衝撃を受けた際、その反動で機器が連結壁部を押圧しても、連結壁部と突出壁部とが弾性変形することによって緩衝材の役割を果たしこの衝撃を吸収する。したがって、外部からの衝撃に対して筐体内に収容した機器の破損を防止することができる。
【００１８】
請求項２の発明では、リブが、筐体の内壁から突出する複数の突出壁部とこれら各突出壁部の突出端をそれぞれ連結する連結壁部とから構成される外側リブと、この外側リブの連結壁部から機器に近接するように突出する複数の突出壁部とこれら各突出壁部の突出端を連結する連結壁部とから構成される内側リブとを備えている。
【００１９】
これにより、落下等によって筐体に外部から衝撃が加えられると、その衝撃により筐体が撓み、この筐体の撓みに応じて外側リブの突出壁部と連結壁部とが弾性変形する。そして、外側リブの連結壁部の弾性変形にともない内側リブの突出壁部も弾性変形するとともに、その衝撃が内側リブの連結壁部でより分散されて緩衝される。このように、リブが外側リブと内側リブとを備えることにより、外部からの衝撃が分散されて効果的に吸収される。したがって、外部からの衝撃に対して筐体内に収容した機器の破損を確実に防止することができる。
【００２０】
請求項３の発明では、リブは、筐体に一体的に設けられている。これにより、リブと筐体とが別体である場合と比較して、リブを筐体に組み付ける組付作業等をなくすことができるので、製造コストを低減することができる。
【００２１】
請求項４の発明では、各突出壁部と連結壁部とによって区画される複数の空間の少なくともいずれかには、その弾性変形に応じて衝撃を吸収可能な衝撃吸収体が収容されている。これにより、落下等によって筐体に外部から衝撃が加えられると、その衝撃により筐体が撓み、この筐体の撓みに応じて突出壁部とともに衝撃吸収体も弾性変形する。また、筐体が外部から衝撃を受けた際、その反動で機器が連結壁部を押圧しても、この衝撃吸収体が連結壁部と突出壁部とともに弾性変形する。そのため、衝撃吸収体を当該空間に収容することにより、外部からの衝撃がより効果的に吸収されるため、リブを介する機器への衝撃の伝搬が抑制される。したがって、外部からの衝撃に対して筐体内に収容した機器の破損をより確実に防止することができる。
【００２２】
請求項５の発明では、一方のリブの連結壁部と他方のリブの連結壁部とは、弾性変形に応じて衝撃を吸収可能な連結部材で連結されている。これにより、落下等によって筐体に外部から衝撃が加えられると、その衝撃により筐体が撓み、この筐体の撓みに応じて突出壁部も弾性変形する。そして、突出壁部の突出端に連結されている連結壁部を介して、連結壁部に連結されている連結部材が撓む。そのため、外部からの衝撃がこの連結部材により吸収されて、機器への衝撃の伝搬が抑制される。したがって、外部からの衝撃に対して筐体内に収容した機器の破損を一層確実に防止することができる。
【００２３】
請求項６の発明では、突出壁部および連結壁部の少なくともいずれか１箇所には、切欠きが設けられている。これにより、落下等によって筐体に外部から衝撃が加えられると、その衝撃により筐体が撓み、この筐体の撓みに応じてリブの突出壁部も弾性変形する。このとき、突出壁部に切欠きが設けられていると、この突出壁部が切欠きの空間を拡げたり狭めたりするように拡狭することでより撓むので、外部からの衝撃がより吸収される。また、連結壁部に切欠きが設けられていると、筐体が外部から衝撃を受けた際に、その反動で機器が連結壁部を押圧しても、この連結壁部が切欠きの空間を拡げたり狭めたりするように拡狭することで弾性変形するので、外部からの衝撃がより吸収される。したがって、外部からの衝撃に対して筐体内に収容した機器の破損を確実に防止することができる。
【００２４】
請求項７の発明では、突出壁部および連結壁部の少なくともいずれか１箇所に設けられる切欠きに、衝撃吸収体が収容されている。これにより、突出壁部の切欠きに衝撃吸収体が収容されている場合には、落下等によって筐体に外部から衝撃が加えられた際、突出壁部が切欠きの空間を拡げたり狭めたりするように拡狭することで撓むと、この切欠きに収容された衝撃吸収体も突出壁部とともに弾性変形する。そのため、外部からの衝撃が、突出壁部と当該突出壁部の切欠きの空間に収容された衝撃吸収体とにより相乗的に吸収されることとなる。また、連結壁部の切欠きに衝撃吸収体が収容されている場合には、筐体が外部から衝撃を受けた際に、その反動で機器が連結壁部を押圧しても、連結壁部が切欠きの空間を拡げたり狭めたりするように拡狭することで弾性変形するので、この切欠きに収容された衝撃吸収体も連結壁部とともに弾性変形する。そのため、外部からの衝撃が、連結壁部と当該連結壁部の切欠きの空間に収容された衝撃吸収体とにより相乗的に吸収されることとなる。したがって、外部からの衝撃に対して筐体内に収容した機器の破損をより確実に防止することができる。
【００２５】
請求項８の発明では、各突出壁部と連結壁部とによって区画される複数の空間に収容される衝撃吸収体は、切欠きに設けられる衝撃吸収体と一体的に構成されている。これにより、落下等によって筐体に外部から衝撃が加えられると、その衝撃により筐体が撓み、この筐体の撓みに応じて突出壁部とともにこの空間内に収容された衝撃吸収体が弾性変形する。そして、このとき、この外部からの衝撃が切欠きに設けられる衝撃吸収体を介して複数の空間の衝撃吸収体に伝達される。すなわち、この衝撃が一点に集中することなく、切欠きに設けられる衝撃吸収体により効率よく分散されて、複数の空間の衝撃吸収体でバランスよく吸収されることとなる。また、筐体が外部から衝撃を受けた際にその反動で機器が連結壁部を押圧しても、この衝撃が一点に集中することなく、切欠きに設けられる衝撃吸収体により効率よく分散されて、複数の空間の衝撃吸収体でバランスよく吸収されることとなる。したがって、外部からの衝撃に対して筐体内に収容した機器の破損をより一層確実に防止することができる。
【００２６】
請求項９の発明では、機器と対面する連結壁部には切欠きが設けられており、この切欠きから衝撃吸収体が機器側に膨出している。これにより、落下等によって筐体が外部から衝撃を受けた際に、その反動で機器が連結壁部側へ移動すると、連結壁部の切欠きから膨出した衝撃吸収体が機器により押圧されて弾性変形するとともに、連結壁部が切欠きの空間を拡げたり狭めたりするように拡狭することでより撓み、さらに、切欠きに設けられる衝撃吸収体も弾性変形することで、外部からの衝撃が相乗的に吸収される。したがって、外部からの衝撃に対して筐体内に収容した機器の破損をより一層確実に防止することができる。
【図面の簡単な説明】
【００２７】
【図１】本第１実施形態に係るバーコードリーダ１０の構成概要を示す図であり、図１（Ａ）は、正面図、図１（Ｂ）は側面図である。
【図２】第１実施形態に係るバーコードリーダ１０の外装ケース１１に収容される光学モジュール３０とリブ２０の配置関係を示す部分拡大図である。
【図３】第１実施形態に係るバーコードリーダ１０における衝撃の吸収の様子を説明する説明図であり、図３（Ａ）は衝撃が加わる前の状態を示し、図３（Ｂ）は衝撃が加わった直後の状態を示す。
【図４】第２実施形態に係るバーコードリーダ１０の要部を示す部分拡大図である。
【図５】図４に示す５−５線相当の切断面による断面図である。
【図６】第３実施形態に係るバーコードリーダ１０の要部を示す部分拡大図である。
【図７】第３実施形態に係るバーコードリーダ１０における衝撃の吸収の様子を説明する説明図であり、図７（Ａ）は衝撃が加わる前の状態を示し、図７（Ｂ）は衝撃が加わった直後の状態を示す。
【図８】第４実施形態に係るバーコードリーダ１０の要部を示す部分拡大図である。
【図９】第５実施形態に係るバーコードリーダ１０の要部を示す図であり、図９（Ａ）は光学モジュール３０とリブ２０の配置関係を示す部分拡大図であり、図９（Ｂ）は図９（Ａ）の９Ｂ−９Ｂ線相当の切断面を概略的に示す断面図である。
【図１０】第５実施形態に係るバーコードリーダ１０における衝撃の吸収の様子を説明する説明図であり、図１０（Ａ）は衝撃が加わる前の状態を示し、図１０（Ｂ）は衝撃が加わった直後の状態を示す。
【図１１】第５実施形態に係るバーコードリーダ１０の要部を示す図であり、図１１（Ａ）は光学モジュール３０とリブ２０の配置関係を示す部分拡大図であり、図１１（Ｂ）は図１１（Ａ）の１１Ｂ−１１Ｂ線相当の切断面を概略的に示す断面図である。
【図１２】第５実施形態に係るバーコードリーダ１０における衝撃の吸収の様子を説明する説明図であり、図１２（Ａ）は衝撃が加わる前の状態を示し、図１２（Ｂ）は衝撃が加わった直後の状態を示す。
【図１３】第５実施形態における変形例に係るバーコードリーダ１０における衝撃の吸収の様子を説明する説明図であり、図１３（Ａ）は衝撃が加わる前の状態を示し、図１３（Ｂ）は衝撃が加わった直後の状態を示す。
【図１４】第６実施形態に係るバーコードリーダ１０における衝撃の吸収の様子を説明する説明図であり、図１４（Ａ）は衝撃が加わる前の状態を示し、図１４（Ｂ）は衝撃が加わった直後の状態を示す。
【図１５】第７実施形態に係るバーコードリーダ１０における衝撃の吸収の様子を説明する説明図であり、図１５（Ａ）は衝撃が加わる前の状態を示し、図１５（Ｂ）は衝撃が加わった直後の状態を示す。
【図１６】第７実施形態における変形例に係るバーコードリーダ１０における衝撃の吸収の様子を説明する説明図であり、図１６（Ａ）は衝撃が加わる前の状態を示し、図１６（Ｂ）は衝撃が加わった直後の状態を示す。
【発明を実施するための形態】
【００２８】
以下、本発明の携帯端末をバーコードリーダに適用した各実施形態について図を参照して説明する。
【００２９】
［第１実施形態］
本発明の第１実施形態について図を参照して説明する。図１（Ａ）、（Ｂ）に示すように、バーコードリーダ１０は、表側ケース１２および裏側ケース１３からなる外装ケース１１（特許請求の範囲に記載の「筐体」に相当）を備えており、当該外装ケース１１は、ＡＢＳ樹脂等の合成樹脂により形成されている。この外装ケース１１内には、光学モジュール３０（特許請求の範囲に記載の「機器」に相当）、および図略の制御部等が収容されている（図２参照）。この外装ケース１１内の電気的構成は、公知のコードリーダ（バーコードリーダ、二次元コードリーダ等）と同様の構成とすることができる。
【００３０】
また、外装ケース１１は、操作者に把持される把持部１４と、液晶表示器１５ａが取り付けられる液晶部１５と、読取口１６ａが設けられる読取部１６とを備えている。そして、外装ケース１１のほぼ中央両側面には、バーコード等の読取対象に対して照射光を照射する際に押圧されるトリガースイッチ１７がそれぞれ設けられている。また、把持部１４のうち表側ケース１２上には、読取対象の情報や当該バーコードリーダ１０の操作に関する情報を入力可能なファンクションキー１８や数字情報を入力可能なテンキー１９等、情報を入力する際に操作される複数の情報入力キーが設けられている。
【００３１】
光学モジュール３０は、照明光源や受光センサ（図略）等を備えており、制御部に電気的に接続されている。そして、制御部は、情報入力キーの操作等に応じて光学モジュール３０へ制御信号を出力し、光学モジュール３０からの受光データをデコード処理するための制御回路やメモリ等を備えている。また、光学モジュール３０および制御部には図略の電源部から電力が供給されるように構成されている。
【００３２】
次に、図２に示すように、外装ケース１１の内部には、互いに対向する一対のリブ２０が当該外装ケース１１と一体的に形成されている。リブ２０は、外装ケース１１の内壁１１ａから突出する３つの突出壁部２０ａと、各突出壁部２０ａの突出端２０ｂをそれぞれ連結する連結壁部２０ｃとから構成されている。これら各突出壁部２０ａおよび連結壁部２０ｃは、例えば、ＡＢＳやポリカーボネイト等の合成樹脂により、弾性変形可能に形成されている。なお、突出壁部２０ａは、３つ設けられることに限らず、２つまたは４つ以上設けられてもよい。
【００３３】
上述のように構成されるリブ２０と光学モジュール３０との配置関係について説明する。光学モジュール３０は、外装ケース１１内であって、一対のリブ２０の間に収容されている。さらに、光学モジュール３０は、リブ２０の連結壁部２０ｃに対向する側面にて連結壁部２０ｃに近接するように配置されている。
【００３４】
このように構成されるバーコードリーダ１０に、外部からの衝撃が加わると、図３（Ａ）に示す状態から、その衝撃により図３（Ｂ）に示すように外装ケース１１が撓む。そして、この外装ケース１１の撓みに応じて突出壁部２０ａも弾性変形する。なお、図３においては、説明のために一部を拡大して誇張して示している。
【００３５】
この外部からの衝撃は、突出壁部２０ａが弾性変形することによって吸収されるとともに、突出壁部２０ａの突出端２０ｂに連結されている連結壁部２０ｃでさらに分散されて緩衝される。そのため、リブ２０を介する光学モジュール３０への衝撃の伝搬が抑制される。また、外装ケース１１が外部から衝撃を受けた際に、その反動で光学モジュール３０が連結壁部２０ｃを押圧しても、連結壁部２０ｃと突出壁部２０ａとが弾性変形することによってこの衝撃が吸収される。したがって、外部からの衝撃に対して外装ケース１１内に収容した光学モジュール３０の破損を防止することができる。なお、外部からの衝撃がなくなると、突出壁部２０ａおよび外装ケース１１も撓む前の状態へ戻ることとなる。
【００３６】
以上説明したように、本第１実施形態に係るバーコードリーダ１０は、互いに対向する一対のリブ２０を外装ケース１１内部に有しており、光学モジュール３０がこの両リブ２０間に近接して外装ケース１１内に収容されている。そして、リブ２０は、外装ケース１１の内壁１１ａから突出する各突出壁部２０ａと、これら各突出壁部２０ａの突出端２０ｂを連結する連結壁部２０ｃとを備えており、各突出壁部２０ａおよび連結壁部２０ｃは、弾性変形可能に形成されている。
【００３７】
これにより、落下等によって外装ケース１１に外部から衝撃が加えられると、その衝撃により外装ケース１１が撓み、この外装ケース１１の撓みに応じてリブ２０の突出壁部２０ａも弾性変形する。そして、外部からの衝撃は、突出壁部２０ａが弾性変形することによって吸収されるとともに連結壁部２０ｃで分散されて緩衝される。そのため、リブ２０を介する光学モジュール３０への衝撃の伝搬が抑制される。また、外装ケース１１が外部から衝撃を受けた際、その反動で光学モジュール３０が連結壁部２０ｃを押圧しても、連結壁部２０ｃと突出壁部２０ａとが弾性変形することによって緩衝材の役割を果たしこの衝撃を吸収する。したがって、外部からの衝撃に対して外装ケース１１内に収容した光学モジュール３０の破損を防止することができる。
【００３８】
また、本第１実施形態に係るバーコードリーダ１０では、リブ２０は、外装ケース１１に一体的に設けられている。これにより、リブ２０と外装ケース１１とが別体である場合と比較して、リブ２０を外装ケース１１に組み付ける組付作業等をなくすことができるので、製造コストを低減することができる。
【００３９】
［第２実施形態］
次に、本発明の第２実施形態に係るバーコードリーダ１０について、図４および図５を参照して説明する。
図４に示すように、本第２実施形態では、リブ２０の形状が異なる以外は、上記第１実施形態と同様である。以下、これ以外の上記第１実施形態との相違点を中心に述べる。なお、第１実施形態のバーコードリーダ１０と実質的に同一の構成部分には、同一符号を付し、その説明を省略する。
【００４０】
図４に示すように、リブ２０は、外側リブ２１と内側リブ２２とを備えている。外側リブ２１は、外装ケース１１の内壁１１ａから突出する複数の突出壁部２０ａとこれら各突出壁部２０ａの突出端２０ｂをそれぞれ連結する連結壁部２０ｃとから構成されている。そして、内側リブ２２は、この外側リブ２１の連結壁部２０ｃからバーコードリーダ１０に近接するように突出する複数の突出壁部２０ａと、これら各突出壁部２０ａの突出端２０ｂを連結する連結壁部２０ｃとから構成されている。このリブ２０は、上記の構成により、いわゆるアコーディオン形状をなしている。
【００４１】
また、図５に示すように、内側リブ２２の高さを外側リブ２１の高さより低くすることにより、バーコードリーダ１０を製造する際に、作業者等が光学モジュール３０を把持して配置しやすくなり、組付作業性を向上させることができる。
【００４２】
このように構成される本第２実施形態のバーコードリーダ１０では、例えば外装ケース１１に外部から衝撃が加わると、その衝撃により外装ケース１１が撓み、この外装ケース１１の撓みに応じて外側リブ２１の突出壁部２０ａと連結壁部２０ｃとが弾性変形する。また、外側リブ２１の連結壁部２０ｃの弾性変形にともない内側リブ２２の突出壁部２０ａも弾性変形するとともに、その衝撃が内側リブ２２の連結壁部２０ｃでより分散されて緩衝される。そのため、外側リブ２１と内側リブ２２とによって外部からの衝撃を分散して吸収することができ、リブ２０を介する光学モジュール３０への衝撃の伝搬が抑制される。したがって、外部からの衝撃に対して、より確実に光学モジュール３０の破損を防止することができる。
なお、外部からの衝撃がなくなると、弾性変形した内側リブ２２の突出壁部２０ａと外側リブ２１の突出壁部２０ａと連結壁部２０ｃとが、その弾性復帰力によって撓んだ外装ケース１１を押し戻し、外部から衝撃が加わる前の状態へ戻ることとなる。
【００４３】
以上説明したように、本第２実施形態のバーコードリーダ１０では、外装ケース１１の内壁１１ａから突出する各突出壁部２０ａとこれら各突出壁部２０ａの突出端２０ｂをそれぞれ連結する連結壁部２０ｃとから構成される外側リブ２１と、この外側リブ２１の連結壁部２０ｃから光学モジュール３０に近接するように突出する各突出壁部２０ａとこれら各突出壁部２０ａの突出端２０ｂを連結する連結壁部２０ｃとから構成される内側リブ２２とを備えている。
【００４４】
これにより、落下等によって外装ケース１１に外部から衝撃が加えられると、その衝撃により外装ケース１１が撓み、この外装ケース１１の撓みに応じて外側リブ２１の突出壁部２０ａと連結壁部２０ｃとが弾性変形する。そして、外側リブ２１の連結壁部２０ｃの弾性変形にともない内側リブ２２の突出壁部２０ａも弾性変形するとともに、その衝撃が内側リブ２２の連結壁部２０ｃで分散されて緩衝される。このように、リブ２０が外側リブ２１と内側リブ２２とを備えることにより、外部からの衝撃が分散されて効果的に吸収される。したがって、外部からの衝撃に対して外装ケース１１内に収容した光学モジュール３０の破損を確実に防止することができる。
【００４５】
［第３実施形態］
次に、本発明の第３実施形態に係るバーコードリーダ１０について、図６および図７を参照して説明する。
図６に示すように、本第３実施形態では、衝撃吸収体２３を新たに用いる点が異なる以外は、上記第１実施形態と同様である。以下、これ以外の上記第１実施形態との相違点を中心に述べる。なお、第１実施形態のバーコードリーダ１０と実質的に同一の構成部分には、同一符号を付し、その説明を省略する。
【００４６】
図６に示すように、各突出壁部２０ａと連結壁部２０ｃとによって区画されている各空間には、弾性変形可能な衝撃吸収体２３が収容されている。なお、この衝撃吸収体２３は、各突出壁部２０ａと連結壁部２０ｃとによって区画されている空間の全部に収容されていてもよく、一部に収容されていてもよい。衝撃吸収体２３の材質としては、例えば、エラストマやＦＫＭ、ＮＢＲ等のゴムを挙げることができる。
【００４７】
このように構成されるバーコードリーダ１０に、外部からの衝撃が加わると、図７（Ａ）に示す状態から、その衝撃により図７（Ｂ）に示すように外装ケース１１が撓む。なお、図７においては、説明のために一部を拡大して誇張して示している。そして、この外装ケース１１の撓みに応じて突出壁部２０ａが弾性変形すると同時に、衝撃吸収体２３も外装ケース１１に押されて弾性変形することにより、この外部からの衝撃が吸収される。また、突出壁部２０ａの突出端２０ｂに連結されている連結壁部２０ｃで外部からの衝撃が分散されて緩衝される。このように衝撃吸収体２３を新たに用いることにより、リブ２０を介する光学モジュール３０への衝撃の伝搬がより抑制される。また、外装ケース１１が外部から衝撃を受けた際に、その反動で光学モジュール３０が連結壁部２０ｃを押圧しても、連結壁部２０ｃと突出壁部２０ａとともに衝撃吸収体２３が弾性変形することによってこの衝撃が効果的に吸収される。なお、外部からの衝撃がなくなると、弾性変形した衝撃吸収体２３が弾性復帰力によって弾性変形される前の状態へ戻ると同時に、突出壁部２０ａおよび外装ケース１１も撓む前の状態へ戻ることとなる。
【００４８】
以上説明したように、本第３実施形態に係るバーコードリーダ１０では、各突出壁部２０ａと連結壁部２０ｃとによって区画される複数の空間には、その弾性変形に応じて衝撃を吸収可能な衝撃吸収体２３が収容されている。
これにより、落下等によって外装ケース１１に外部から衝撃が加えられると、その衝撃により外装ケース１１が撓み、この外装ケース１１の撓みに応じて突出壁部２０ａとともに衝撃吸収体２３も弾性変形する。また、外装ケース１１が外部から衝撃を受けた際、その反動で光学モジュール３０が連結壁部２０ｃを押圧しても、この衝撃吸収体２３が連結壁部２０ｃと突出壁部２０ａとともに弾性変形する。そのため、衝撃吸収体２３を当該空間に収容することにより、外部からの衝撃がより効果的に吸収されるため、リブ２０を介する光学モジュール３０への衝撃の伝搬が抑制される。したがって、外部からの衝撃に対して外装ケース１１内に収容した光学モジュール３０の破損をより確実に防止することができる。
【００４９】
［第４実施形態］
次に本発明の第４実施形態に係るバーコードリーダ１０について、図８を参照して説明する。
図８に示すように、本第４実施形態では、連結部材２４を新たに用いる点が異なる以外は、上記第１実施形態と同様である。以下、これ以外の上記第１実施形態との相違点を中心に述べる。なお、第１実施形態のバーコードリーダ１０と実質的に同一の構成部分には、同一符号を付し、その説明を省略する。
【００５０】
図８に示すように、一方のリブ２０の連結壁部２０ｃと他方のリブ２０の連結壁部２０ｃとが、弾性変形可能な連結部材２４で連結されている。この連結部材２４は、連結壁部２０ｃと一体に設けられていてもよく、連結壁部２０ｃと別体に設けられていてもよい。
【００５１】
これにより、落下等によって外装ケース１１の外部に衝撃が加わると、その衝撃により外装ケース１１が撓み、この外装ケース１１の撓みに応じて突出壁部２０ａも弾性変形する。そして、突出壁部２０ａの突出端２０ｂに連結されている連結壁部２０ｃを介して、連結壁部２０ｃに連結されている連結部材２４が撓む。そのため、外装ケース１１の外部に衝撃が加わると、連結部材２４にその衝撃が伝搬されて、この連結部材２４が撓むことによりその衝撃が吸収されるため、光学モジュール３０への衝撃の伝搬が抑制される。そして、連結部材２４の弾性復帰力により、連結部材２４が撓む前の元の状態へ戻り、外装ケース１１も撓む前の元の状態へ戻る。
【００５２】
したがって、外部からの衝撃が加わった際、連結部材２４が撓むことで外装ケース１１内に収容した光学モジュール３０の破損を防止することができる。また、このとき、外装ケース１１に加わった衝撃が、連結部材２４が撓むことで吸収されるので、外装ケース１１の割れを防止することができる。
【００５３】
このように、本第４実施形態のバーコードリーダ１０では、一方のリブ２０の連結壁部２０ｃと他方のリブ２０の連結壁部２０ｃとは、弾性変形に応じて衝撃を吸収可能な連結部材２４で連結されている。
これにより、落下等によって外装ケース１１に外部から衝撃が加えられると、その衝撃により外装ケース１１が撓み、この外装ケース１１の撓みに応じて突出壁部２０ａも弾性変形する。そして、突出壁部２０ａの突出端２０ｂに連結されている連結壁部２０ｃを介して、連結壁部２０ｃに連結されている連結部材２４が撓む。そのため、外部からの衝撃がこの連結部材２４により吸収されて、光学モジュール３０への衝撃の伝搬が抑制される。したがって、外部からの衝撃に対して外装ケース１１内に収容した光学モジュール３０の破損を一層確実に防止することができる。
【００５４】
［第５実施形態］
次に、本発明の第５実施形態に係るバーコードリーダ１０について、図９〜図１２を参照して説明する。
図９および図１１に示すように、本第５実施形態では、リブ２０の形状が異なる以外は、上記第１実施形態と同様である。以下、これ以外の上記第１実施形態との相違点を中心に述べる。なお、第１実施形態のバーコードリーダ１０と実質的に同一の構成部分には、同一符号を付し、その説明を省略する。
【００５５】
本第５実施形態では、複数の突出壁部２０ａおよび連結壁部２０ｃの少なくともいずれか１箇所には、切欠き２０ｄが設けられている。図９（Ａ）は、突出壁部２０ａに切欠き２０ｄが設けられている一例である。図９（Ａ）に示すように、光学モジュール３０を挟んで互いに対向する位置に設けられる各突出壁部２０ａに切欠き２０ｄがそれぞれ設けられている。この切欠き２０ｄは、図９（Ａ）、（Ｂ）に示すように、突出壁部２０ａの突出端２０ｂと外装ケース１１の内壁１１ａとの中間付近に設けられている。
【００５６】
このように、突出壁部２０ａに切欠き２０ｄが設けられた外装ケース１１から構成されるバーコードリーダ１０に外部から衝撃が加わると、図１０（Ａ）に示す状態から、その衝撃により図１０（Ｂ）に示すように外装ケース１１が撓む。なお、図１０においては、説明のために一部を拡大して誇張して示している。そして、この外装ケース１１の撓みに応じて突出壁部２０ａも弾性変形する。このとき、この突出壁部２０ａは、切欠き２０ｄの空間を拡げたり狭めたりするように拡狭することでより撓む。すなわち、本第５実施形態では、切欠き２０ｄを突出壁部２０ａに設けることで、外部からの衝撃をより吸収することができる。
【００５７】
また、図１１（Ａ）は、連結壁部２０ｃに切欠き２０ｄが設けられている一例である。図１１（Ａ）に示すように、光学モジュール３０を挟んで互いに対向する位置に設けられる連結壁部２０ｃに切欠き２０ｄがそれぞれ２つずつ設けられている。この切欠き２０ｄは、図１１（Ａ）、（Ｂ）に示すように、各突出壁部２０ａの各突出端２０ｂ同士の中間付近に設けられている。
【００５８】
このように、連結壁部２０ｃに切欠き２０ｄが設けられた外装ケース１１から構成されるバーコードリーダ１０に外部から衝撃が加わると、図１２（Ａ）に示す状態から、その衝撃により図１２（Ｂ）に示すように外装ケース１１が撓む。なお、図１２においては、説明のために一部を拡大して誇張して示している。そして、その反動で光学モジュール３０が連結壁部２０ｃを押圧すると、連結壁部２０ｃも弾性変形する。このとき、この連結壁部２０ｃは、切欠き２０ｄの空間を拡げたり狭めたりするように拡狭することでより撓む。すなわち、本第５実施形態では、切欠き２０ｄを連結壁部２０ｃに設けることによっても、外部からの衝撃をより吸収することができる。
【００５９】
以上説明したように、本第５実施形態のバーコードリーダ１０では、突出壁部２０ａおよび連結壁部２０ｃの少なくともいずれか１箇所には、切欠き２０ｄが設けられている。これにより、落下等によって外装ケース１１に外部から衝撃が加えられると、その衝撃により外装ケース１１が撓み、この外装ケース１１の撓みに応じてリブの突出壁部２０ａも弾性変形する。このとき、突出壁部２０ａに切欠き２０ｄが設けられていると、この突出壁部２０ａが切欠き２０ｄの空間を拡げたり狭めたりするように拡狭することでより撓むので、外部からの衝撃がより吸収される。また、連結壁部２０ｃに切欠き２０ｄが設けられていると、外装ケース１１が外部から衝撃を受けた際に、その反動で光学モジュール３０が連結壁部２０ｃを押圧しても、この連結壁部２０ｃが切欠き２０ｄの空間を拡げたり狭めたりするように拡狭することで弾性変形するので、外部からの衝撃がより吸収される。したがって、外部からの衝撃に対して外装ケース１１内に収容した光学モジュール３０の破損を確実に防止することができる。
【００６０】
次に、本発明の第５実施形態における変形例に係るバーコードリーダ１０について、図１３を参照して説明する。
本第５実施形態における変形例では、衝撃吸収体２３を用いる点が異なる以外は、上記第５実施形態と同様である。以下、これ以外の上記第５実施形態との相違点を中心に述べる。なお、第１実施形態のバーコードリーダ１０と実質的に同一の構成部分には、同一符号を付し、その説明を省略する。
【００６１】
図１３（Ａ）に示すように、本変形例では、上記第５実施形態で示した図９と同様に、突出壁部２０ａに切欠き２０ｄが設けられている。そして、各突出壁部２０ａと連結壁部２０ｃとによって区画されている各空間には、弾性変形可能な円筒形状の衝撃吸収体２３が収容されている。なお、この衝撃吸収体２３は、各突出壁部２０ａと連結壁部２０ｃとによって区画されている空間の全部に収容されていてもよく、一部に収容されていてもよい。
【００６２】
このように構成されるバーコードリーダ１０に、外部からの衝撃が加わると、図１３（Ａ）に示す状態から、その衝撃により図１３（Ｂ）に示すように外装ケース１１が撓む。なお、図１３においては、説明のために一部を拡大して誇張して示している。そして、この外装ケース１１の撓みに応じて突出壁部２０ａも弾性変形する。このとき、この突出壁部２０ａは、切欠き２０ｄの空間を拡げたり狭めたりするように拡狭することでより撓む。さらに、突出壁部２０ａが弾性変形すると同時に、衝撃吸収体２３も外装ケース１１に押されて弾性変形する。すなわち、切欠き２０ｄが設けられた突出壁部２０ａと衝撃吸収体２３とにより、外部からの衝撃が相乗的に吸収される。なお、外部からの衝撃がなくなると、弾性変形した衝撃吸収体２３が弾性復帰力によって弾性変形される前の状態へ戻ると同時に、突出壁部２０ａおよび外装ケース１１も撓む前の状態へ戻ることとなる。
このように、突出壁部２０ａに切欠き２０ｄが設けられ、さらに各突出壁部２０ａと連結壁部２０ｃとによって区画されている各空間に衝撃吸収体２３が収容されていることで、外部からの衝撃をより効果的に吸収することができる。
【００６３】
［第６実施形態］
次に、本発明の第６実施形態に係るバーコードリーダ１０について、図１４を参照して説明する。
図１４に示すように、本第６実施形態では、リブ２０の形状が異なる点および衝撃吸収体２２３ａ，２２３ｂを新たに用いる点が異なる以外は、上記第１実施形態と同様である。以下、これ以外の上記第１実施形態との相違点を中心に述べる。なお、第１実施形態のバーコードリーダ１０と実質的に同一の構成部分には、同一符号を付し、その説明を省略する。
【００６４】
図１４（Ａ）に示すように、本第６実施形態では、突出壁部２０ａに切欠き２０ｄが設けられている。この切欠き２０ｄには、切欠き２０ｄの形状に沿って形成された衝撃吸収体２２３ａが収容されている。また、各突出壁部２０ａと連結壁部２０ｃとによって区画されている各空間には、弾性変形可能な球形状の衝撃吸収体２２３ｂが収容されている。そして、切欠き２０ｄに収容されている衝撃吸収体２２３ａと、各突出壁部２０ａと連結壁部２０ｃとによって区画される複数の空間に収容される衝撃吸収体２２３ｂとは一体的に構成されている。この衝撃吸収体２２３ａ，２２３ｂの材質としては、上記第３実施形態と同様に、例えば、エラストマやＦＫＭ、ＮＢＲ等のゴムを挙げることができる。これら衝撃吸収体２２３ａ，２２３ｂは、製造性の観点から同質材料で形成することが好ましい。
【００６５】
このように構成されるバーコードリーダ１０に、外部からの衝撃が加わると、図１４（Ａ）に示す状態から、その衝撃により図１４（Ｂ）に示すように外装ケース１１が撓む。なお、図１４においては、説明のために一部を拡大して誇張して示している。そして、この外装ケース１１の撓みに応じて突出壁部２０ａも弾性変形する。このとき、この突出壁部２０ａは、切欠き２０ｄの空間を拡げたり狭めたりするように拡狭することでより撓むとともに、この切欠き２０ｄに収容された衝撃吸収体２２３ａも弾性変形する。さらに、突出壁部２０ａが弾性変形すると同時に、各突出壁部２０ａと連結壁部２０ｃとによって区画される複数の空間に収容される衝撃吸収体２２３ｂも外装ケース１１に押されて弾性変形する。そして、このとき、外装ケース１１に加えられた衝撃は、一点に集中することなく、切欠き２０ｄに設けられた衝撃吸収体２２３ａにより効率よく分散されて、複数の空間の衝撃吸収体２２３ｂでバランスよく吸収されることとなる。
【００６６】
以上説明したように、本第６実施形態に係るバーコードリーダ１０では、突出壁部２０ａに設けられる切欠き２０ｄには、衝撃吸収体２２３ａが収容されている。
これにより、落下等によって外装ケース１１に外部から衝撃が加えられた際、突出壁部２０ａが、切欠き２０ｄの空間を拡げたり狭めたりするように拡狭することで撓むと、この切欠き２０ｄに収容された衝撃吸収体２２３ａも突出壁部２０ａとともに弾性変形する。そのため、外部からの衝撃が、突出壁部２０ａと当該突出壁部２０ａの切欠き２０ｄの空間に収容された衝撃吸収体２２３ａとにより相乗的に吸収されることとなる。したがって、外部からの衝撃に対して外装ケース１１内に収容した光学モジュール３０の破損をより確実に防止することができる。
【００６７】
さらに、各突出壁部２０ａと連結壁部２０ｃとによって区画される複数の空間に収容される衝撃吸収体２２３ｂは、切欠き２０ｄに設けられる衝撃吸収体２２３ａと一体的に構成されている。
これにより、落下等によって外装ケース１１に外部から衝撃が加えられると、その衝撃により外装ケース１１が撓み、この外装ケース１１の撓みに応じて突出壁部２０ａとともにこの空間内に収容された衝撃吸収体２２３ｂが弾性変形する。そして、このとき、この外部からの衝撃が切欠き２０ｄに設けられる衝撃吸収体２２３ａを介して複数の空間の衝撃吸収体２２３ｂに伝達される。すなわち、この衝撃が一点に集中することなく、切欠き２０ｄに設けられる衝撃吸収体２２３ａにより効率よく分散されて、複数の空間の衝撃吸収体２２３ｂでバランスよく吸収されることとなる。また、外装ケース１１が外部から衝撃を受けた際にその反動で光学モジュール３０が連結壁部２０ｃを押圧しても、この衝撃が一点に集中することなく、切欠き２０ｄに設けられた衝撃吸収体２２３ａにより効率よく分散されて、複数の空間の衝撃吸収体２２３ｂでバランスよく吸収されることとなる。したがって、外部からの衝撃に対して外装ケース１１内に収容した光学モジュール３０の破損をより一層確実に防止することができる。
【００６８】
［第７実施形態］
次に、本発明の第７実施形態に係るバーコードリーダ１０について、図１５を参照して説明する。
図１５に示すように、本第７実施形態では、リブ２０の形状が異なる点および衝撃吸収体２２３ａ，２２３ｂ，２２３ｃを新たに用いる点が異なる以外は、上記第１実施形態と同様である。以下、これ以外の上記第１実施形態との相違点を中心に述べる。なお、第１実施形態のバーコードリーダ１０と実質的に同一の構成部分には、同一符号を付し、その説明を省略する。
【００６９】
図１５（Ａ）に示すように、本第７実施形態では、連結壁部２０ｃに切欠き２０ｄが設けられている。この切欠き２０ｄには、切欠き２０ｄの形状に沿って形成された衝撃吸収体２２３ａが収容されている。また、各突出壁部２０ａと連結壁部２０ｃとによって区画されている各空間には、弾性変形可能な球形状の衝撃吸収体２２３ｂが収容されている。そして、連結壁部２０ｃに設けられる切欠き２０ｄから衝撃吸収体２２３ｃが光学モジュール３０側へ膨出するように設けられている。また、この衝撃吸収体２２３ｃは、扁平状に形成されている。衝撃吸収体２２３ｃを扁平状に形成することで、当該衝撃吸収体２２３ｃと連結壁部２０ｃおよび光学モジュール３０との接触面積を大きくすることができるとともに、外装ケース１１内の限られたスペースを有効に使うことができる。
【００７０】
さらに、切欠き２０ｄに収容されている衝撃吸収体２２３ａと、各突出壁部２０ａと連結壁部２０ｃとによって区画される複数の空間に収容される衝撃吸収体２２３ｂと、連結壁部２０ｃの切欠き２０ｄから膨出するように設けられる衝撃吸収体２２３ｃとは一体的に構成されている。この衝撃吸収体２２３ａ，２２３ｂ，２２３ｃの材質としては、上記第３実施形態と同様に、例えば、エラストマやＦＫＭ、ＮＢＲ等のゴムを挙げることができる。これら衝撃吸収体２２３ａ，２２３ｂ，２２３ｃは、製造性の観点から同質材料で形成することが好ましい。
【００７１】
このように構成されるバーコードリーダ１０に、外部からの衝撃が加わると、図１５（Ａ）に示す状態から、その衝撃により図１５（Ｂ）に示すように外装ケース１１が撓む。なお、図１５においては、説明のために一部を拡大して誇張して示している。そして、この外装ケース１１の撓みに応じて突出壁部２０ａが弾性変形するとともに、複数の空間に収容される衝撃吸収体２２３ｂも外装ケース１１に押されて弾性変形する。さらに、その反動で光学モジュール３０が連結壁部２０ｃ側へ移動すると、連結壁部２０ｃの切欠き２０ｄから光学モジュール３０側へ膨出する衝撃吸収体２２３ｃが光学モジュール３０により押圧されて弾性変形する。また、このとき、連結壁部２０ｃが、切欠き２０ｄの空間を拡げたり狭めたりするように拡狭することでより撓むとともに、切欠き２０ｄに設けられる衝撃吸収体２２３ａも弾性変形する。すなわち、本第７実施形態では、連結壁部２０ｃの切欠き２０ｄから衝撃吸収体２２３ｃを光学モジュール３０側へ膨出するように設けることにより外部からの衝撃が相乗的に吸収される。
【００７２】
以上説明したように、本第７実施形態に係るバーコードリーダ１０では、光学モジュール３０と対面する連結壁部２０ｃには切欠き２０ｄが設けられており、この切欠き２０ｄから衝撃吸収体２２３ｃが光学モジュール３０側に膨出している。これにより、落下等によって外装ケース１１が外部から衝撃を受けた際に、その反動で光学モジュール３０が連結壁部２０ｃ側へ移動すると、連結壁部２０ｃの切欠き２０ｄから膨出した衝撃吸収体２２３ｃが光学モジュール３０により押圧されて弾性変形するとともに、連結壁部２０ｃが、切欠き２０ｄの空間を拡げたり狭めたりするように拡狭することでより撓み、さらに、切欠き２０ｄに設けられる衝撃吸収体２２３ａも弾性変形する。このため、外部からの衝撃に対して外装ケース１１内に収容した光学モジュール３０の破損をより一層確実に防止することができる。
【００７３】
次に、本発明の第７実施形態における変形例に係るバーコードリーダ１０について、図１６を参照して説明する。
本第７実施形態における変形例では、衝撃吸収体２２３ｂの代わりに、衝撃吸収体２２３ｄを用いる点が異なる以外は、上記第７実施形態と同様である。以下、これ以外の上記第７実施形態との相違点を中心に述べる。なお、第１実施形態のバーコードリーダ１０と実質的に同一の構成部分には、同一符号を付し、その説明を省略する。
【００７４】
図１６（Ａ）に示すように、本変形例では、上記第７実施形態で示した図１５と同様に、連結壁部２０ｃに切欠き２０ｄが設けられている。この切欠き２０ｄには、切欠き２０ｄの形状に沿って形成された衝撃吸収体２２３ａが収容されている。また、連結壁部２０ｃに設けられる切欠き２０ｄから、扁平状に形成された衝撃吸収体２２３ｃが光学モジュール３０側へ膨出するように設けられている。さらに、衝撃吸収体２２３ｃが設けられる側と反対側に、連結壁部２０ｃの切欠き２０ｄから衝撃吸収体２２３ｄが設けられている。そして、衝撃吸収体２２３ａ，２２３ｃ，２２３ｄは一体的に形成されており、衝撃吸収体２２３ｄが連結壁部２０ｃの切欠き２０ｄに係止することで、これら衝撃吸収体２２３ａ，２２３ｃ，２２３ｄがリブ２０に固定される。なお、衝撃吸収体２２３ｄは、切欠き２０ｄに係止可能な形状であれば、任意の形状とすることができる。
【００７５】
このように構成されるバーコードリーダ１０に、外部からの衝撃が加わると、図１６（Ａ）に示す状態から、その衝撃により図１６（Ｂ）に示すように外装ケース１１が撓む。なお、図１６においては、説明のために一部を拡大して誇張して示している。そして、この外装ケース１１の撓みに応じて突出壁部２０ａが弾性変形する。さらに、その反動で光学モジュール３０が連結壁部２０ｃ側へ移動すると、連結壁部２０ｃの切欠き２０ｄから光学モジュール３０側へ膨出する衝撃吸収体２２３ｃが光学モジュール３０により押圧されて弾性変形する。また、このとき、連結壁部２０ｃが、切欠き２０ｄの空間を拡げたり狭めたりするように拡狭することでより撓むとともに、切欠き２０ｄに設けられる衝撃吸収体２２３ａも弾性変形する。すなわち、本変形例でも、上記第７実施形態と同様に、外装ケース１１が外部から衝撃を受けた際、その反動で光学モジュール３０が連結壁部２０ｃ側へ移動しても、この衝撃を効果的に吸収することができる。
【００７６】
なお、本発明は上記各実施形態に限定されるものではなく、以下のように具体化してもよく、その場合でも、上記各実施形態と同等の作用・効果が得られる。
（１）リブ２０は外装ケース１１に一体的に形成されることに限らず、例えば外装ケース１１よりも弾性が大きい部材で形成されていてもよい。これにより、リブ２０を外装ケース１１に組み付ける組付作業が必要になるものの、外装ケース１１よりも弾性が大きい部材で構成することにより、より衝撃を吸収しやすくなる。
【００７７】
（２）光学モジュール３０は、一対のリブ２０の各突出壁部２０ａと各連結壁部２０ｃとにより衝撃が吸収されることで保護されることに限られず、複数対のリブ２０を外装ケース１１内に設けて当該複数対のリブ２０によりさらに衝撃を分散して吸収することで保護されるように構成されていてもよい。
【００７８】
（３）上記第２実施形態においても、第３実施形態と同様に、各突出壁部２０ａと連結壁部２０ｃとによって区画されている各空間に、弾性変形可能な衝撃吸収体２３が収容されていてもよい。リブ２０が外側リブ２１と内側リブ２２を備え、さらに当該リブ２０内に衝撃吸収体２３が収容されていれば、より確実に光学モジュール３０の破損を防止することができる。
【００７９】
（４）上記第４実施形態において、連結部材２４は、互いに対向する一対のリブ２０の各連結壁部２０ｃに対して１つ設けられることに限らず、バーコードリーダ１０の形状およびリブ２０の配置に応じて２つ以上設けられていてもよい。
【００８０】
（５）上記第３実施形態および上記第５実施形態に係る変形例において、衝撃吸収体２３は、円筒形状に限らず、球形状であってもよい。
【００８１】
（６）上記第６実施形態および第７実施形態において、衝撃吸収体２２３ｂは、球形状に限らず、円筒形状であってもよい。
【００８２】
（７）上記第５実施形態に係る変形例において、切欠き２０ｄは、突出壁部２０ａに設けられることに限らず、連結壁部２０ｃに設けられていてもよい。
【符号の説明】
【００８３】
１０…バーコードリーダ（携帯端末）
１１…外装ケース（筐体）
１１ａ…内壁
１２…表側ケース
１３…裏側ケース
２０…リブ
２０ａ…突出壁部
２０ｂ…突出端
２０ｃ…連結壁部
２０ｄ…切欠き
２１…外側リブ
２２…内側リブ
２３，２２３ａ，２２３ｂ，２２３ｃ，２２３ｄ…衝撃吸収体
２４…連結部材
３０…光学モジュール（機器）
【図１】
2010238224.tif 000003
【図２】
2010238224.tif 000004
【図３】
2010238224.tif 000005
【図４】
2010238224.tif 000006
【図５】
2010238224.tif 000007
【図６】
2010238224.tif 000008
【図７】
2010238224.tif 000009
【図８】
2010238224.tif 000010
【図９】
2010238224.tif 000011
【図１０】
2010238224.tif 000012
【図１１】
2010238224.tif 000013
【図１２】
2010238224.tif 000014
【図１３】
2010238224.tif 000015
【図１４】
2010238224.tif 000016
【図１５】
2010238224.tif 000017
【図１６】
2010238224.tif 000018